(57)【要約】【課題】  固着力を維持しつつ、結紮用ワイヤーや矯正用ワイヤーを取り付ける際に障害とならない歯列矯正部材および歯列矯正部材の接着方法を得る。【解決手段】  歯列矯正部材１０は、歯列を矯正するための矯正器具本体１１と、前記矯正器具本体１１の下面に設けられて歯牙１２に接着可能なボンディングベース１３とを有する。また、この歯列矯正部材１０は、前記ボンディングベース１３に接着剤１４が通過するために形成された複数の長穴１５と、それぞれの長穴１５に連通し内部に接着剤１４を拡散させる空洞部１６とを備える。【選択図】    図１
2006167212.tif 000002
【特許請求の範囲】
【請求項１】
歯列を矯正するための矯正器具本体と、前記矯正器具本体の片面に設けられて歯牙に接着可能なボンディングベースとを有する歯列矯正部材であって、
前記ボンディングベースに接着剤が通過するために形成された少なくとも一つ以上の穴と、前記穴に連通し内部に前記接着剤を拡散させる空洞部とを備えることを特徴とする歯列矯正部材。
【請求項２】
前記空洞部が前記接着剤で充填されることを特徴とする請求項１に記載の歯列矯正部材。
【請求項３】
前記空洞部内に少なくとも一つ以上の補強用リブが立設していることを特徴とする請求項１または請求項２に記載した歯列矯正部材。
【請求項４】
前記矯正器具本体と前記ボンディングベースとが別体の２部品構成とされ、接合手段または係合手段によって一体的に結合されることを特徴とする請求項１〜３のいずれか１項に記載した歯列矯正部材。
【請求項５】
前記矯正器具本体と前記ボンディングベースとが連接部を介して繋がれ、接合手段または係合手段によって一体的に結合されることを特徴とする請求項１〜３のいずれか１項に記載した歯列矯正部材。
【請求項６】
前記空洞部が前記矯正器具本体または前記ボンディングベースの側面において開口していることを特徴とする請求項１〜５のいずれか１項に記載した歯列矯正部材。
【請求項７】
前記接着剤に光重合ボンドを使用することを特徴とする請求項６に記載した歯列矯正部材。
【請求項８】
歯列を矯正するための矯正器具本体と、前記矯正器具本体の片面に設けられて歯牙に接着可能なボンディングベースとを有する歯列矯正部材であって、
前記ボンディングベースに接着剤が進入するために形成された少なくとも二つ以上の穴を有し、前記穴は内部で互いに連通していることを特徴とする歯列矯正部材。
【発明の詳細な説明】
【技術分野】
【０００１】
本発明は、矯正器具本体に一体形成されたボンディングベースを歯牙に接着して歯列を矯正する歯列矯正部材に関する。
【背景技術】
【０００２】
歯列矯正治療は、不正な歯列を適切な位置に移動することを目的とし、歯牙に取り付けたブラケット等のアーチワイヤースロットに矯正用ワイヤーを挿通してエラスチック等で結紮し、矯正用ワイヤーの復元力をブラケットを介して歯牙に伝えることよって行われる。ブラケットやチューブ等の歯列矯正部材を歯牙に取り付ける方法としては、歯科用接着剤を用いて直接歯に接着する方法が多く用いられており、そのため歯と歯列矯正部材との適切な接着力を得るための種々の方法が、従来から提案されてきた。
【０００３】
歯列矯正部材のなかには、歯牙に強固に固着するために、ボンディングベースに係止孔を形成する一方、ベース面に塗布した接着剤がこの係止孔を通過してベース表面側に膨出したボタン部を形成することにより、このボタン部がベース上に係止して歯牙面からの脱落を防止したものがある（例えば、特許文献１、２）。
また、プラスチック製のブラケットのベース面に形成した凸部の先端を加熱軟化させ、板状や突起状の押圧部材で押圧することによってアンダーカットを形成し、ベース面に塗布した接着剤がこのアンダーカット面に係止することにより、すなわち、歯牙と歯列矯正部材との機械的結合力を高めて、歯牙面からの脱落を防止したものがある（例えば、特許文献３、４）。
【特許文献１】特開平１０−１５５８１２号公報
【特許文献２】実公昭５５−３２５６９号公報
【特許文献３】特開平９−５４４号公報
【特許文献４】特開２００３−２９０２５１号公報
【発明の開示】
【発明が解決しようとする課題】
【０００４】
しかしながら、上記公報に記載されたうち、ボタン部を形成するものでは、いずれもボタン部を形成するための係止孔が本体タイウイング部下方のベース領域に形成されていたため、接着剤の膨出したボタン部が、矯正用ワイヤーや結紮用ワイヤーを取り付ける際の障害になった。このような事態を回避するため、接着剤の塗布量を減らしてボタン部を小さくすると、固着力が低下する。
さらに、特許文献１に記載のものは、ボタン部がベース四隅部の４点のみに形成されていたため、固着力が弱い。
特許文献２に記載のものは固着力の点では満足できるものの、隣接するボタン部が互いに近接状態に形成されているため、口腔内環境に晒されて食物残渣がボタン部間に起こる。この残渣は、ブラッシングしても簡単に取り切れず、虫歯や口臭の原因となった。また、接着剤からなるボタン部は飲食物により着色するので、審美性が悪い。
一方ボンディングベースにアンダーカットを形成したものでは、アンダーカット量が微小であるとともに、いずれの方法においても製造上のバラツキが大きく、アンダーカットを正確に形成することが困難であった。
例えば、ベース面凸部の先端を加熱軟化させてアンダーカットを形成する特許文献３に記載のものは、所望するアンダーカットを形成する際に前記凸部が座屈してしまったり、アンダーカットが全くなかったりするものが存在する。特許文献４に記載のものはＶ字状に形成したアンダーカットであるが、特許文献３と同様製造上のバラツキが大きく、必ずしもアンダーカットの役目を十分に果たせないことがあった。
また、矯正治療の際には物理的に大きな力が加わるので、プラスチックブラケットのベース面凸部の先端を加熱軟化させて僅かなアンダーカットを形成する方法では、長い間にはプラスチックブラケットの機械的強度の低下が伴うことにより、接着剤によって少しずつアンダーカット部分が削り取られて消失してしまい、十分な固着力を発揮することができなかった。
さらに、口腔内では絶えず熱膨張と収縮が生じており、唾液等によっても接着剤自体が経時的に劣化し、ベースと接着剤との界面にわずかながら、徐々に隙間が生じ易い。このため、矯正医はより多くの接着剤の中から、メカニカルロックベースとして市販されているベースの材質及び形態にあった接着剤を選ばなければならないといった煩わしさが伴った。
【０００５】
本発明は上記事情に鑑みてなされたもので、強固な固着力が得られるとともに、矯正用ワイヤーや結紮用ワイヤーを取り付ける際の障害を生じさせない歯列矯正部材を提供することを目的とする。
【課題を解決するための手段】
【０００６】
上記目的を達成するために、本発明の歯列矯正部材は、請求項１に記載したように、歯列を矯正するための矯正器具本体と、前記矯正器具本体の片面に設けられて歯牙に接着可能なボンディングベースとを有する歯列矯正部材であって、前記ボンディングベースに接着剤が通過するために形成された少なくとも一つ以上の穴と、前記穴に連通し内部に前記接着剤を拡散させる空洞部とを備えることを特徴とする。
【０００７】
このように構成された歯列矯正部材においては、接着剤を塗布したボンディングベースを歯牙面に押圧することにより、接着剤が穴を通過して空洞部内に流入し、空洞部内において拡散する。そして、空洞部内で拡散した接着剤が硬化し、ボンディングベースを係止することにより、歯列矯正部材の歯牙からの離脱を阻止して、歯列矯正部材を歯牙面に強固に固着する。
さらに、拡散した接着剤は空洞部内に留まって、ボンディングベース外部に膨出しないので、矯正用ワイヤーや結紮用ワイヤーをアーチワイヤースロットに取り付ける際の障害とならない。
また、空洞部内からボンディングベース外部に流出した余分な接着剤は、固着力とは関係がないので、掻き取ることにより、矯正用ワイヤーや結紮用ワイヤーをアーチワイヤースロットに取り付ける際の障害とならない。
【０００８】
また、本発明の歯列矯正部材は、請求項２に記載したように、前記空洞部が前記接着剤で充填されることを特徴とする。
【０００９】
このように構成された歯列矯正部材においては、空洞部の全域が接着剤で埋められることで、接着剤の拡散部を広範にして係止力を増大させることで、歯列矯正部材を歯牙により強固に固着できる。
【００１０】
また、本発明の歯列矯正部材は、請求項３に記載したように、前記空洞部内に少なくとも一つ以上の補強用リブが立設していることを特徴とする。
【００１１】
このように構成された歯列矯正部材においては、空洞部内に補強用リブが立設していることで、矯正器具本体を押圧して歯牙面に接着する際の空洞部の圧潰を防止して、歯列矯正部材の強度向上が図れると同時に、接着時の押圧安定性が得られる。
【００１２】
また、本発明の歯列矯正部材は、請求項４に記載したように、前記矯正器具本体と前記ボンディングベースとが別体の２部品構成とされ、接合手段または係合手段によって一体的に結合されることを特徴とする。
【００１３】
このように構成された歯列矯正部材においては、矯正器具本体とボンディングベースとを別体の２部品構成とすることで、各々の部材がシンプルな形状になり、製作が容易になる。
さらに、矯正器具本体とボンディングベースとをそれぞれ別素材で形成することができる。
【００１４】
さらに、本発明の歯列矯正部材は、請求項５に記載したように、前記矯正器具本体と前記ボンディングベースとが連接部を介して繋がれ、接合手段または係合手段によって一体的に結合されることを特徴とする。
【００１５】
このように構成された歯列矯正部材においては、矯正器具本体とボンディングベースとを後工程で接合または組付けて一体化するので、製作時の金型構造を単純化させて、生産コストの低減を図ることができる。
【００１６】
また、本発明の歯列矯正部材は、請求項６に記載したように、前記空洞部が前記矯正器具本体または前記ボンディングベースの側面において開口していることを特徴とする。
【００１７】
このように構成された歯列矯正部材においては、矯正器具本体またはボンディングベースの側面に空洞部が開口していることにより、空洞部の内圧を外気圧に保ち、空洞部内への接着剤の進入性を向上させる。
【００１８】
また、本発明の歯列矯正部材は、請求項７に記載したように、前記接着剤に光重合ボンドを使用することを特徴とする。
【００１９】
このように構成された歯列矯正部材においては、矯正器具本体及びボンディングベースの素材を問わず接着剤として光重合ボンドを使用できるので、歯牙にボンディングベースを接着する際に、接着剤に光照射することにより接着剤を硬化させ、短時間で接着できるため、使い勝手の向上が図れるとともに、接着剤の未重合部分をなくすことができる。
【００２０】
また、本発明の歯列矯正部材は、請求項８に記載したように、歯列を矯正するための矯正器具本体と、前記矯正器具本体の片面に設けられて歯牙に接着可能なボンディングベースとを有する歯列矯正部材であって、前記ボンディングベースに接着剤が進入するために形成された少なくとも二つ以上の穴を有し、前記穴は内部で互いに連通していることを特徴とする。
【００２１】
このように構成された歯列矯正部材においては、ボンディングベースに接着剤を塗布し、歯牙面に押圧することにより、少なくとも二つ以上の穴に接着剤が進入して、各々の穴から進入した接着剤が互いに連通する。穴の中で互いに連通した接着剤が硬化してボンディングベースからの抜け出しを防止し、歯牙に強固に固着する。
さらに、拡散した接着剤は空洞部内に留まってボンディングベースの外部に膨出しないので、硬化した接着剤が、矯正用ワイヤーや結紮用ワイヤーを取り付ける際の障害にならない。
また、空洞部内からボンディングベース外部に流出した余分な接着剤は、硬化する前に掻き取ることにより、阻害要因を作らない。
【発明の効果】
【００２２】
本発明によれば、穴を通過した接着剤が空洞部内に拡散し、硬化することによりボンディングベースを係止し、強固な固着力が得られると同時に、ボンディングベース外部に流出した余分な接着剤は、固着力とは関係ないので掻き取ることにより、矯正用ワイヤーや結紮用ワイヤーを取り付ける際の障害にならない。
【発明を実施するための最良の形態】
【００２３】
以下、本発明に係る好適な実施の形態を図面に基づいて詳細に説明する。
図１、図２に示すように、本発明に係る第１実施の形態の歯列矯正部材１０は、歯列を矯正するための矯正器具本体１１と、矯正器具本体１１の下部１１ａに一体に設けられて歯牙１２に接着可能なボンディングベース１３とを有する。
この歯列矯正部材１０は、ボンディングベース１３の裏面１３ａに塗布した接着剤１４が通過する複数の長穴（穴）１５と、それぞれの穴１５に連通して内部に接着剤１４を拡散させる空洞部１６とを備える。なお、穴１５は、本実施の形態では１２個形成されている。
【００２４】
矯正器具本体１１は、本体タイウイング部２２が外面の四隅に張り出され、上部中央にアーチワイヤースロット２３が形成されている。
アーチワイヤースロット２３は、歯列矯正用の矯正用ワイヤー２４を挿通して案内する溝である。
本体タイウイング部２２は、図２に示すように、矯正用ワイヤー２４をアーチワイヤースロット２３に保持させる結紮用ワイヤー２５を係止させるための張り出し部である。
【００２５】
ボンディングベース１３は、矯正器具本体１１の下部１１ａから略矩形状に張り出され、裏面（ボンディングベース裏面）１３ａが歯牙１２面に沿う湾曲状に形成されている。
穴１５は、図１に示すように、ボンディングベース１３の裏面１３ａ全域に一定間隔をおいて形成されている。
空洞部１６は、ボンディングベース１３を貫通し対向する両側面１３ｂにおいて開口している。
【００２６】
この歯列矯正部材１０によれば、ボンディングベース１３の裏面１３ａに接着剤１４を塗布し、矯正器具本体１１を歯牙１２面に押圧することにより、接着剤１４が穴１５を通過して空洞部１６内に流入し、流入した接着剤１４が空洞部１６内で拡散して充填される。
このように、接着剤１４は空洞部１６内に充填されて、空洞部１６内を拡散して接着剤同士が互いに連通し硬化することにより、ボンディングベース１３の歯牙１２面からの離脱を阻止し、歯列矯正部材１０を歯牙１２に強固に固着できる。
【００２７】
さらに、空洞部１６内に拡散してボンディングベース１３の外部に流出した余分な接着剤は、固着力とは関係ないので掻き取ることにより、従来技術で生じた、矯正用ワイヤー２４や結紮用ワイヤー２５を係止させる際の障害とならない。
【００２８】
また、空洞部１６の全域に接着剤１４が拡散することで、空洞部１６内に流入した接着剤１４はボンディグベース１３の係止力を高める。
これにより、大きく拡散した接着剤１４が、ボンディングベース１３の歯牙１２面からの脱落を確実に阻止し、歯列矯正部材１０をより強固に歯牙１２に固着できる。
【００２９】
さらに、空洞部１６がボンディングベース１３の両側面１３ｂで開口しているので、空洞部１６の内圧を外気圧に保つことができ、接着剤１４の空洞部１６内への進入性を向上できる。
【００３０】
なお、上記した実施の形態の歯列矯正部材１０では、ボンディングベース１３の略全域に亘って穴１５を形成するとしたが、穴１５は少なくとも一つ以上形成されていればよい。
また、上記実施の形態では、接着剤１４が空洞部１６内に充満状態に充填される例について説明したが、必ずしもこのような充満状態に充填しなくてもよく、少なくとも接着剤１４が穴１５の周囲に拡散し、この拡散した接着剤１４が穴１５から抜け出ないように充填されていてもよい。
【００３１】
次に、本発明に係る第２〜第６実施の形態の歯列矯正部材を図３〜図１３に基づいて順次説明する。なお、第２〜第６実施の形態の歯列矯正部材において第１実施の形態の歯列矯正部材１０と同一部分、部位については同一符号を付して説明を省略する。
【００３２】
本発明に係る第２実施の形態の歯列矯正部材３０は、図３（Ａ）、（Ｂ）に示すように、空洞部１６を３分割するように、空洞部１６内に二つの補強用リブ３１が立設されている。
補強用リブ３１は、隣接する穴１５同士の間に位置し、一方の開口から他方の開口に亘って帯状に形成されている。
【００３３】
このような補強用リブ３１を設けることで、空洞部１６の機械的強度が補強されて歯列矯正部材３０の破損を防止している。つまり、矯正器具本体１１を押圧して歯牙１２面に接着する際の押圧力による空洞部１６の圧潰が防止される。そして、歯列矯正部材３０の強度が向上すると同時に、接着する際の押圧安定性も得られる。
【００３４】
なお、上記した第２実施の形態の歯列矯正部材３０では、補強用リブ３１をボンディングベース１３の両側面１３ｂに亘って延伸した帯状としたが、例えば、図４（Ａ）、（Ｂ）に示す歯列矯正部材３２のように、補強用リブ３３を帯状よりも短い略矩形状として、空洞部１６の略中央部に立設した形態としてもよい。
このように補強用リブ３３を空洞部１６内に部分的に形成することにより、補強用リブ３３が、接着剤１４（図２参照）の空洞部１６内での拡散阻害要因とならず、好ましい。
【００３５】
さらに、補強用リブが空洞部１６内での接着剤１４の拡散阻害要因とならないように、図５に示す歯列矯正部材３５のように、補強用リブ３６を略円柱状として、強度確保のために４箇所に立設してもよい。
補強用リブ３６を略円柱状にすることで、充填される接着剤１４（図２参照）の拡散を良好にし、接着剤１４の空洞部１６内での進入性を向上できる。
【００３６】
なお、歯列矯正部材３０、３２では、空洞部１６内に二つの補強用リブ３１、３３を設け、歯列矯正部材３５では、空洞部１６内に４つの補強用リブ３６を設ける例について説明したが、補強用リブ３１、３３、３６は少なくとも一つ以上設けられていればよい。また、その形状も、接着剤の進入を阻害させない条件の下、種々の形態を選択することができる。
【００３７】
本発明に係る第３実施の形態の歯列矯正部材４０は、図６（Ａ）、（Ｂ）に示すように、ボンディングベース１３が空洞部１６を境にして、上ベース部４１Ａと下ベース部４１Ｂとに分割され、実質的に矯正器具本体１１とボンディングベース１３とを別体とした２部品構成として、上ベース部４１Ａと下ベース部４１Ｂとが接合手段４２によって一体的に結合されている。
【００３８】
接合手段４２は、上ベース部４１Ａの接合面４３に段部４３ａを形成するとともに、下ベース部４１Ｂの接合面４４に、上ベース４１Ａの段部４３ａが嵌合する段部４４ａを有して構成される。
段部４３ａに段部４４ａを嵌め込んで、上ベース部４１Ａの接合面４３と下ベース部４１Ｂの接合面４４とを接着剤や熱融着で接合することにより、上ベース部４１Ａと下ベース部４１Ｂとを一体に結合する。
【００３９】
ボンディングベース１３を上ベース部４１Ａと下ベース部４１Ｂとに２分割することで、各々の部材がシンプルな形状になり、製造性の向上が図れる。
特に、ボンディングベース１３を空洞部１６を境に分割することで、製作の際、金型に空洞部１６を形成する必要がない。
よって、空洞部１６を成形するための中子を配置する工程や、中子を抜き出す工程を省略することが可能になり、製造効率の向上が図れる。
【００４０】
上記した第３実施の形態の歯列矯正部材４０では、空洞部１６の補強用リブに関しての説明を省略したが、図７に示す歯列矯正部材４５のように、例えば下ベース部４１Ｂの略中央位置に補強用リブ４６を立設し、この補強用リブ４６で空洞部１６（図６参照）を補強することができる。このような補強用リブ４６を設けても、金型構造は特別に複雑にはならず、歯列矯正部材４５を製作することができる。
【００４１】
また、上記した第３実施の形態の歯列矯正部材４０では、上下のベース部４１Ａ、４１Ｂを接合手段４２で結合してボンディングベース１３を構成する例について説明したが、図８に示す歯列矯正部材５０のように、上下のベース部５１、５２を係合手段５３で一体に結合してボンディングベース１３とすることも可能である。
【００４２】
係合手段５３は、上ベース部５１に上係止溝５１ａおよび上係止突片５１ｂが形成され、下ベース部５２に下係止溝５２ａおよび下係止突片５２ｂを形成して構成される。
そして、上下の係止突片５１ｂ、５２ｂそれぞれを上下の係止溝５２ａ、５１ａに嵌め合わせることにより、上下のベース部５１、５２を一体に結合することができる。
【００４３】
上記した第３実施の形態の歯列矯正部材４０では、ボンディングベース１３が、上下のベース部４１Ａ、４１Ｂに２分割される例について説明したが、図９に示す歯列矯正部材５５のように、歯列を矯正するための矯正器具本体１１と接着剤が通過する穴１５および空洞部１６を備えたボンディングベース１３とが別体品として製作された２部品構成とすることもできる。
そして、矯正器具本体１１およびボンディングベース１３は、接合手段５６で一体に結合される。
【００４４】
接合手段５６は、矯正器具本体１１の接合面５７に段部５７ａを形成するとともに、ボンディングベース１３の接合面５８に段部５８ａを形成する。
段部５７ａに段部５８ａを嵌め込んで、矯正器具本体１１の接合面５７とボンディングベース１３の接合面５８とを接着剤や熱融着で接合することにより、矯正器具本体１１とボンディングベース１３とを一体に結合する。
【００４５】
なお、図９に示す歯列矯正部材５５では、矯正器具本体１１およびボンディングベース１３を接合手段５６で一体に結合する例について説明したが、図８に示した歯列矯正部材５０のように、係合手段５３を用いて一体に結合することも可能である。
【００４６】
本発明に係る第４実施の形態の歯列矯正部材６０は、図１０（Ａ）〜（Ｃ）に示すように、先の図６に示した歯列矯正部材４０における矯正器具本体１１とボンディングベース１３の下ベース部４１Ｂとが一端において連接部６１を介して連接された構造で、他端が接合手段４２によって結合可能になされた構成である。
【００４７】
歯列矯正部材６０の製造の際には、図１０（Ａ）に示すように、連接部６１を直線状に延ばした状態で製造する。
その後、後工程において、矯正器具本体１１とボンディングベース１３の下ベース部４１Ｂとを一体的に結合する際には、図１０（Ｂ）に示すように、連接部６１を曲げながらボンディングベース１３の下ベース部４１Ｂを矢印のように移動して一体的に接合または組付ける。
【００４８】
すなわち、図１０（Ｃ）に示すように、上ベース部４１Ａの接合面４３と下ベース部４１Ｂの接合面４４とを対向させ、接合面４３、４４同士を接着剤や熱融着で接合することにより、接合手段４２で一体に結合する。
【００４９】
このように、矯正器具本体１１とボンディングベース１３の下ベース部４１Ｂとを連接部６１を介して繋ぐことで、製造の際の取り扱いが容易になり、組立性の向上が図れる。
【００５０】
上記した第４実施の形態の歯列矯正部材６０では、例えば、ボンディングベース１３の下ベース部４１Ｂを、連接部６１と同じ樹脂などの単一素材で成形した例について説明したが、図１１に示す歯列矯正部材６５のように、複合素材を適用することも可能である。
【００５１】
ボンディングベース６６は、例えば、矯正器具本体１１と同一材料の金属、セラミックス（アルミナ、ジルコニア等）、ガラス、プラスチック製のベース材６７を、樹脂製のベース周囲部６８内にインサート成形して構成することができる。
このように金属やセラミックス製のベース本体６７を備えることで、ボンディングベース６６の加工性の向上や機械的強度を一層高めることが可能になる。
【００５２】
本発明に係る第５実施の形態の歯列矯正部材７０は、図１２に示すように、歯列を矯正するための矯正器具本体１１と、矯正器具本体１１の下部１１ａに設けられて歯牙１２に接着可能なボンディングベース１３とを備えるとともに、ボンディングベース１３に形成され接着剤１４が進入する少なくとも二つ以上の穴７１を有し、穴７１はボンディングベース１３の内部に形成した連通路７２を介して互いに連通されている。つまり、先の各実施の形態で述べた空洞部１６が外部に開口しない管路状に形成された構成である。
【００５３】
このように構成した連通路７２では、ボンディングベース１３に接着剤１４を塗布し、歯牙１２面に押圧することにより、各穴７１に進入した接着剤１４が連通路７２内で互いにリンク状に結合する。
連通路７２で結合した接着剤１４は、ボンディングベース１３の抜け出しを阻止し、歯列矯正部材７０を歯牙１２に強固に固着できる。
【００５４】
さらに、接着剤１４をボンディングベース１３の内部で連通させるため、接着剤１４がボンディングベース１３から外部に洩れ出ないので、従来技術で述べたような矯正用ワイヤー等の取り付け時の障害とならない。
【００５５】
次に、上記した各実施の形態の歯列矯正部材を、歯牙１２へ接着する接着方法の一例について説明する。
例えば、先の図１に示した歯列矯正部材１０を接着する場合において、またこの歯列矯正部材１０が金属などの光不透過部材で形成されている場合に、図１３に示すように、接着剤１４に光重合ボンドを使用することができる。
接着剤１４として光重合ボンドを使用するので、歯牙１２にボンディングベース１３を接着する際に、空洞部１６の開口１６ａを通して空洞部１６内に充填された接着剤１４を光照射手段８２で光８３照射することにより短時間で硬化させて接着することができ、使い勝手の向上が図れるとともに、接着剤の未重合部分をなくすことができる。
【００５６】
そして、歯列矯正部材１０の接着方法は、ボンディングベース１３の裏面１３ａに接着剤１４を塗布する工程と、接着剤１４を塗布したボンディングベース１３を歯牙１２に押圧し、接着剤１４をボンディングベース１３の穴１５に通過させるとともに、穴１５に連通した空洞部１６に拡散（充填）させる工程と、接着剤１４に光８３照射する工程と、を実施するものである。
【００５７】
矯正器具本体１１あるいはボンディングベース１３が光透過部材で製作されている場合には、矯正器具本体１１あるいはボンディングベース１３上から光８３照射して接着剤１４を硬化させることもできる。
このような光重合ボンドを使用することで、矯正器具本体１１もしくはボンディングベース１３の素材を、光透過部材および光不透過部材の両方から選択でき、設計自由度が広がり、ドクターが目的に合った製品を選ぶことができる。
また、光照射して接着剤の重合を促進することができるので、接着を短時間で行うことができる。
【００５８】
なお、上記した各実施の形態では、ボンディングベース１３に長穴状の穴１５を例示したが、これに限らないで、例えば、図１４に示すように、格子状の穴８５や一つの円形状の穴など、その他、種々の形状を選択することができる。
【産業上の利用可能性】
【００５９】
本発明ではブラケットの実施例を示したが、他にはバッカルチューブ、リンガルボタン等、ボンディングベースを歯牙に接着させて歯列を矯正するあらゆる歯列矯正部材への適用に好適である。
【図面の簡単な説明】
【００６０】
【図１】本発明に係る第１実施の形態の歯列矯正部材を示す斜視図である。
【図２】第１実施の形態に係る歯列矯正部材を示す断面図である。
【図３】本発明に係る第２実施の形態の歯列矯正部材を示し、（Ａ）は斜視図、（Ｂ）は断面図である。
【図４】図３の歯列矯正部材の変形例を示し、（Ａ）斜視図、（Ｂ）は断面図である。
【図５】図３の歯列矯正部材の他の変形例を示す斜視図である。
【図６】本発明に係る第３実施の形態の歯列矯正部材を示し、（Ａ）は斜視図、（Ｂ）は断面図である。
【図７】図６の歯列矯正部材の変形例を示す斜視図である。
【図８】図６の歯列矯正部材の他の変形例を示す断面図である。
【図９】図６の歯列矯正部材のさらに他の変形例を示す断面図である。
【図１０】本発明に係る第４実施の形態の歯列矯正部材を示し、（Ａ）は歯列矯正部材の展開状態を示す斜視図、（Ｂ）は歯列矯正部材の組立途中の状態を示す斜視図、（Ｃ）は歯列矯正部材の組立状態を示す断面図である。
【図１１】図１０の歯列矯正部材の変形例を示す要部斜視図である。
【図１２】本発明に係る第５実施の形態の歯列矯正部材を示す断面図である。
【図１３】歯列矯正部材の接着方法の一例を説明する斜視図である。
【図１４】本発明に係る歯列矯正部材のボンディングベースにおける変形例を示す底面図である。
【符号の説明】
【００６１】
１０、３０、３２、３５、４０、４５、５０、５５、６０、６５、７０、  歯列矯正部材
１１  矯正器具本体
１２  歯牙
１３、６６  ボンディングベース
１４  接着剤
１５  長穴（穴）
１６  空洞部
３１、３３、３６、４６  補強用リブ
４２、５６  接合手段
５３  係合手段
６１  連接部
【図１】
2006167212.tif 000003
【図２】
2006167212.tif 000004
【図３】
2006167212.tif 000005
【図４】
2006167212.tif 000006
【図５】
2006167212.tif 000007
【図６】
2006167212.tif 000008
【図７】
2006167212.tif 000009
【図８】
2006167212.tif 000010
【図９】
2006167212.tif 000011
【図１０】
2006167212.tif 000012
【図１１】
2006167212.tif 000013
【図１２】
2006167212.tif 000014
【図１３】
2006167212.tif 000015
【図１４】
2006167212.tif 000016